【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
多値画像データの各画素に対する像域情報を入力し、圧縮符号化する画像処理方法であって、
入力した前記像域情報を可逆符号化する第１符号化工程と、
該第１の符号化工程で可逆符号化された符号化データを伸長し、再度可逆符号化する第２符号化工程と、
前記第１符号化工程で得られる符号化データ量を監視し、該符号化データ量が所定基準を満たしたか否かを判断する監視工程とを備え、
該監視工程によって前記符号化データ量が所定基準を満たしたと判断した時、前記第１の符号化工程では、後続して入力される像域情報を所定の条件に従って変換してから可逆符号化し、前記第２の符号化工程では、第１符号化手段で既に符号化されている符号化データが表す像域情報を所定の条件に従って変換してから再符号化することを特徴とする画像処理方法。
【請求項２】
更に、前記多値画像データを符号化する第３符号化工程を備え、
前記監視工程は、前記第３符号化工程で得られる符号化データ量と前記第１符号化工程で得られる符号化データ量の合計を監視し、前記合計のデータ量に基づいて前記所定基準を満たしたか否かを判断することを特徴とする請求項１に記載の画像処理方法。
【請求項３】
更に、前記多値画像データを符号化する第３符号化工程を備え、
前記監視工程は、前記第３符号化工程で得られる符号化データ量と前記第１符号化工程で得られる符号化データ量の合計を監視し、前記合計のデータ量及び前記第１符号化工程で得られる符号化データ量の夫々が目標符号量を越えたか否かを判断することにより、前記所定基準を満たしたか否かを判断することを特徴とする請求項１に記載の画像処理方法。
【請求項４】
多値画像データの各画素に対する像域情報を入力し、圧縮符号化する画像処理装置であって、
入力した前記像域情報を可逆符号化する第１符号化手段と、
該第１の符号化手段で可逆符号化された符号化データを伸長し、再度可逆符号化する第２符号化手段と、
前記第１符号化手段で得られる符号化データ量を監視し、該符号化データ量が所定基準を満たしたか否かを判断する監視手段とを備え、
該監視手段によって前記符号化データ量が所定基準を満たしたと判断した時、前記第１の符号化手段は、後続して入力される像域情報を所定の条件に従って変換してから可逆符号化し、前記第２の符号化手段は、第１符号化手段で既に符号化されている符号化データが表す像域情報を所定の条件に従って変換してから再符号化することを特徴とする画像処理装置。
【請求項５】
更に、前記多値画像データを符号化する第３符号化手段を備え、
前記監視手段は、前記第３符号化手段で得られる符号化データ量と前記第１符号化手段で得られる符号化データ量の合計を監視し、前記合計のデータ量に基づいて前記所定基準を満たしたか否かを判断することを特徴とする請求項４に記載の画像処理装置。
【請求項６】
更に、前記多値画像データを符号化する第３符号化手段を備え、
前記監視手段は、前記第３符号化手段で得られる符号化データ量と前記第１符号化手段で得られる符号化データ量の合計を監視し、前記合計のデータ量及び前記第１符号化手段で得られる符号化データ量の夫々が目標符号量を越えたか否かを判断することにより、前記所定基準を満たしたか否かを判断することを特徴とする請求項４に記載の画像処理装置。
【請求項７】
コンピュータが読込み実行することで、多値画像データの各画素に対する像域情報を入力し、圧縮符号化する画像処理装置として機能するコンピュータプログラムであって、
入力した前記像域情報を可逆符号化する第１符号化手段と、
該第１の符号化手段で可逆符号化された符号化データを伸長し、再度可逆符号化する第２符号化手段と、
前記第１符号化手段で得られる符号化データ量を監視し、該符号化データ量が所定基準を満たしたか否かを判断する監視手段として機能し、
該監視手段によって前記符号化データ量が所定基準を満たしたと判断した時、前記第１の符号化手段は、後続して入力される像域情報を所定の条件に従って変換してから可逆符号化し、前記第２の符号化手段は、第１符号化手段で既に符号化されている符号化データが表す像域情報を所定の条件に従って変換してから再符号化する
ことを特徴とするコンピュータプログラム。
【請求項８】
請求項７に記載のコンピュータプログラムを格納したことを特徴とする記憶媒体。
【手続補正２】
【補正対象書類名】明細書
【補正対象項目名】００１１
【補正方法】変更
【補正の内容】
【００１１】
【課題を解決するための手段】
かかる課題を解決するため、例えば本発明の画像処理方法は以下の構成を備える。すなわち、
多値画像データの各画素に対する像域情報を入力し、圧縮符号化する画像処理方法であって、
入力した前記像域情報を可逆符号化する第１符号化工程と、
該第１の符号化工程で可逆符号化された符号化データを伸長し、再度可逆符号化する第２符号化工程と、
前記第１符号化工程で得られる符号化データ量を監視し、該符号化データ量が所定基準を満たしたか否かを判断する監視工程とを備え、
該監視工程によって前記符号化データ量が所定基準を満たしたと判断した時、前記第１の符号化工程では、後続して入力される像域情報を所定の条件に従って変換してから可逆符号化し、前記第２の符号化工程では、第１符号化手段で既に符号化されている符号化データが表す像域情報を所定の条件に従って変換してから再符号化することを特徴とする。
【手続補正３】
【補正対象書類名】明細書
【補正対象項目名】０１０６
【補正方法】変更
【補正の内容】
【０１０６】
符号化制御部１７１３には、不図示のレジスタが設けられ、このレジスタに像域情報の目標符号量が予め設定されいる。そして、符号化制御部１７１３は、第４のカウンタ１７１１で計数されている符号量が、この目標値をオーバーしたか否かを監視していている。そして、目標値をオーバーしたと判断した場合、符号化制御部１７１３は、可逆符号化部１７０５及び可逆符号再符号化部１７０７にそれぞれに対して以下に示す指令を発すると共に、第４カウンタ１７１１をリセットする。
【手続補正４】
【補正対象書類名】明細書
【補正対象項目名】０１１５
【補正方法】変更
【補正の内容】
【０１１５】
符号化制御部１７１３は、可逆符号化部１７０５における像域情報の符号化量を監視していて、その符号量が目標値をオーバーすると判断した場合、可逆符号化部１７０５及び可逆符号再符号化部１７１５に対して処理Ｐ１で行うように設定し、第４カウンタ１７１１をリセットする。第４カウンタ１７１１は、これ以降、可逆符号化部１７０５による符号量及び第５カウンタ１７１７のカウント値を加算していく。従って、可逆符号再符号化部１７１５による再符号化が完了した時点では、１つの画像（或いは１ページの画像）について最初から処理Ｐ１で行ったときと実質的に同じ符号量を計数することとなる。また、第３のメモリ１７０９には処理Ｐ１での符号化データが格納されることになる。
【手続補正５】
【補正対象書類名】明細書
【補正対象項目名】０２８８
【補正方法】変更
【補正の内容】
【０２８８】
画像・像域符号化制御部２８１９内のレジスタに保持されている目標値をオーバーした場合には、先ず、符号化シーケンス制御部１０８に対して、再符号化処理の指示要求を出し、再符号化を行う。そして、この再符号化を行っても、なお像域符号化制御部１７１９内のレジスタに保持されている目標値をオーバーした場合には、次に、符号化制御部２８１３（可逆符号化部２８０５及び可逆符号再符号部２８０７）に対して再符号化処理を行うよう要求信号を出力する。